(57)【要約】【課題】コモンモードにおいてコイルが生じるインピーダンス（インダクタンス）の低下を防止し、外来ノイズによるノイズの発生を防止するコモンモードチョークコイルを提供する。【解決手段】第１コイル部４０は、第１コイルパターン部４１と、第２コイルパターン部４２とを有している。第１コイルパターン部４１は、第１−１コイル端部４１Ａと第１−２コイル端部４１Ｂとの間で渦巻状をなしている。第２コイルパターン部４２は、第２−１コイル端部４２Ａと第２−２コイル端部４２Ｂとの間で、第１コイルパターン部４１と同方向に巻かれた渦巻状をなしている。第２コイル部６０は、第１コイル部４０と同形状をなし、第１コイルパターン部４１に相当する第３コイルパターン部６１と、第２コイルパターン部４２に相当する第４コイルパターン部６２とを有している。【選択図】図２
2006286884.tif 000002
【特許請求の範囲】
【請求項１】
複数のシート状の絶縁層と、複数のコイルとを交互に積層した積層構造体を有し、
前記複数のコイルは、少なくとも第１コイル部と、前記第１コイルと一枚の前記絶縁層を挟んで隣り合い、前記第１コイル部と互いに磁気結合可能な第２コイル部とを有するコモンモードチョークコイルであって、
前記第１コイル部は、第１−１端部と第１−２端部とを有する第１コイルパターン部と、第２−１端部と前記第１−２端部に接続された第２−２端部とを有する第２コイルパターン部と、を有し、
前記第２コイル部は、第３−１端部と第３−２端部とを有し、前記第１コイルパターン部と磁気結合可能な第３コイルパターン部と、第４−１端部と前記３−２端部に接続された第４−２端部とを有し、前記第２コイルパターン部と磁気結合可能な第４コイルパターン部と、を有し、
前記第１コイルパターン部の第１コイルパターンは、前記第１−１端部と前記第１−２端部との間で渦巻状をなし、前記第２コイルパターン部の第２コイルパターンは、前記第２−１端部と前記第２−２端部との間で、前記第１コイルパターンと同方向に巻かれた渦巻状をなし、
前記第３コイルパターン部の第３コイルパターンは、前記第３−１端部と前記第３−２端部との間で、前記第１コイルパターンと同方向に巻かれた渦巻状をなし、前記第４コイルパターン部の第４コイルパターンは、前記第４−１端部と前記第４−２端部との間で、前記第３コイルパターンと同方向に巻かれた渦巻状をなすことを特徴とするコモンモードチョークコイル。
【請求項２】
前記第１コイルパターンと、前記第２コイルパターンとは、前記第１−２端部と前記第２−２端部との接続位置を中心として、略点対称の形状をなし、
前記第３コイルパターンと、前記第４コイルパターンとは、前記第３−２端部と前記第４−２端部との接続位置を中心として、略点対称の形状をなすことを特徴とする請求項１に記載のコモンモードチョークコイル。
【請求項３】
前記第１コイルパターンと、前記第３コイルパターンとは、略同形状をなし、
前記第２コイルパターンと、前記第４コイルパターンとは、略同形状をなすことを特徴とする請求項２に記載のコモンモードチョークコイル。
【請求項４】
前記第１コイルパターン部と、前記第３コイルパターン部とは、互いに対向し、
前記第２コイルパターン部と、前記第４コイルパターン部とは、互いに対向していることを特徴とする請求項３に記載のコモンモードチョークコイル。
【請求項５】
前記積層構造体の側面に形成された第１外部電極と、第２外部電極と、第３外部電極と、第４外部電極と、
前記積層構造体の積層方向一端側に配置される第１磁性体と、前記積層構造体の積層方向他端側に配置される第２磁性体と、
前記第１コイル部の反第２コイル部側において隣り合う前記絶縁層の間に配置された第１引出し部及び第２引出し部と、前記第２コイル部の反第１コイル部側において、他の隣り合う前記絶縁層の間に配置された第３引出し部及び第４引出し部と、を更に有し、
前記第１引出し部の一端は、前記積層構造体の側面まで引出され前記第１外部電極と接続され、前記第１引出し部の他端は、前記第１−１端部と、前記第１−１端部と第１引出し部との間の前記絶縁層に形成された第１接続穴において接続され、
前記第２引出し部の一端は、前記積層構造体の側面まで引出され前記第２外部電極と接続され、前記第２引出し部の他端は、前記第２−１端部と、前記第２−１端部と第２引出し部との間の前記絶縁層に形成された第２接続穴において接続され、
前記第３引出し部の一端は、前記積層構造体の側面まで引出され前記第３外部電極と接続され、前記第３引出し部の他端は、前記第３−１端部と、前記第３−１端部と第３引出し部との間の前記絶縁層に形成された第３接続穴において接続され、
前記第４引出し部の一端は、前記積層構造体の側面まで引出され前記第４外部電極と接続され、前記第４引出し部の他端は、前記第４−１端部と、前記第４−１端部と第１引出し部との間の前記絶縁層に形成された第４接続穴において接続されたことを特徴とする請求項１から３のいずれか一項に記載のコモンモードチョークコイル。
【発明の詳細な説明】
【技術分野】
【０００１】
本発明は、コモンモードチョークコイルに関し、特に、外来ノイズの影響を受けにくいコモンモードチョークコイルに関する。
【背景技術】
【０００２】
従来から様々なコモンモードチョークコイルの形状が提案されている。例えば、絶縁層を介して隣り合う、渦巻状をなす第１コイル部と、第１コイル部と磁気結合可能な渦巻状の第２コイル部とを有するコモンモードチョークコイルがある。（例えば、特許文献１参照）。
【０００３】
【特許文献１】特開平２００３−２１７９３２号公報
【発明の開示】
【発明が解決しようとする課題】
【０００４】
しかし、従来のコモンモードチョークコイルでは、コモンモードで用いるときに第１コイル部及び第２コイル部による磁路の一部は、コモンモードチョークコイル外に形成される。このため、コモンモードチョークコイル外で漏れ磁束が発生し、第１コイル部及び第２コイル部が生成する磁界によって生じるインピーダンス（インダクタンス）を低下させていた。また、外来の磁気ノイズが、第１コイル部及び第２コイル部へ入った場合、誘起された電流が流れる。この電流は、信号伝送回路においてノイズ成分となっていた。
【０００５】
そこで、本発明は、コモンモードにおいてコイルが生じるインピーダンス（インダクタンス）の低下を防止し、外来ノイズによるノイズの発生を防止するコモンモードチョークコイルを提供することを目的とする。
【課題を解決するための手段】
【０００６】
上記目的を達成するために本発明は、複数のシート状の絶縁層と、複数のコイルとを交互に積層した積層構造体を有し、複数のコイルは、少なくとも第１コイル部と、第１コイルと一枚の絶縁層を挟んで隣り合い、第１コイル部と互いに磁気結合可能な第２コイル部とを有するコモンモードチョークコイルを提供している。ここで、第１コイル部は、第１−１端部と第１−２端部とを有する第１コイルパターン部と、第２−１端部と第１−２端部に接続された第２−２端部とを有する第２コイルパターン部とを有している。第２コイル部は、第３−１端部と第３−２端部とを有し、第１コイルパターン部と磁気結合可能な第３コイルパターン部と、第４−１端部と３−２端部に接続された第４−２端部とを有し、第２コイルパターン部と磁気結合可能な第４コイルパターン部とを有している。
【０００７】
第１コイルパターン部の第１コイルパターンは、第１−１端部と第１−２端部との間で渦巻状をなし、第２コイルパターン部の第２コイルパターンは、第２−１端部と第２−２端部との間で、第１コイルパターンと同方向に巻かれた渦巻状をなしている。第３コイルパターン部の第３コイルパターンは、第３−１端部と第３−２端部との間で、第１コイルパターンと同方向に巻かれた渦巻状をなし、第４コイルパターン部の第４コイルパターンは、第４−１端部と第４−２端部との間で、第３コイルパターンと同方向に巻かれた渦巻状をなしている。
【０００８】
かかる構成によれば、コモンモードにおいて、コモンモード信号により第１コイルパターン部と第２コイルパターン部とには、互いに逆方向の磁束が発生する。同様に、第３コイルパターン部と第４コイルパターン部とにも、コモンモード信号により、互いに逆方向の磁束が発生する。隣り合う２つのコイルパターンに互いに逆方向の磁束が発生するため、これらの磁束は互いに強めあうように振舞う。よって、ほとんど閉磁路のような磁路を形成することができる。
【０００９】
このため、第１コイル部及び第２コイル部が生み出す磁界によって生じるインピーダンス（インダクタンス）が高くなり、コモンモード信号は、ほとんど出力されない。このようにして、コモンモードチョークコイルは、ノイズのみを減衰させることができる。また、ほとんど閉磁路にすることができるので、磁束を逃がさないためにコイルパターンの中心にフェライト含有樹脂を通す必要がなくなると考えられる。よって、フェライト含有樹脂を通すための孔を絶縁層に形成する必要もなくなり、容易かつ安価にコモンモードチョークコイルを製造することができる。
【００１０】
また、第１コイルパターンと、第２コイルパターンとは、第１−２端部と第２−２端部との接続位置を中心として、略点対称の形状をなし、第３コイルパターンと、第４コイルパターンとは、第３−２端部と第４−２端部との接続位置を中心として、略点対称の形状をなすことが好ましい。かかる構成によれば、外来の磁気ノイズが第１コイルパターン部及び第２コイルパターン部へ入った場合に、それらに流れる電流は、それぞれ同程度となるため、それぞれの電流は互いに打ち消しあい、残存する電流はほとんどなくなる。よって、信号伝送回路にノイズが発生するのを防止することができる。また、第３コイルパターン及び第４コイルパターンについても同様である。
【００１１】
また、第１コイルパターンと、第３コイルパターンとは、略同形状をなし、第２コイルパターンと、第４コイルパターンとは、略同形状をなすことが好ましい。かかる構成によれば、デイファレンシャルモードにおいて、入力した信号により、第１コイルパターン部と、第３コイルパターン部とに生じる磁束は、互いに逆方向かつ同程度の強さとなるので、それらは互いに打ち消しあい、残存する磁束はほとんどなくなる。また、第２コイルパターン部と第４コイルパターン部とに生じる磁束についても同様である。従って、第１コイル部と第２コイル部とが生成する磁界によって生じるインピーダンス（インダクタンス）がほとんどないので、信号は、ほとんど減衰することなく出力される。
【００１２】
また、第１コイルパターン部と、第３コイルパターン部とは、互いに対向し、第２コイルパターン部と、第４コイルパターン部とは、互いに対向していることが好ましい。かかる構成によれば、上記のデイファレンシャルモード及びコモンモードにおける効果を向上させることができる。
【００１３】
また、積層構造体の側面に形成された第１外部電極と、第２外部電極と、第３外部電極と、第４外部電極と、積層構造体の積層方向一端側に配置される第１磁性体と、積層構造体の積層方向他端側に配置される第２磁性体と、第１コイル部の反第２コイル部側において隣り合う絶縁層の間に配置された第１引出し部及び第２引出し部と、第２コイル部の反第１コイル部側において、他の隣り合う絶縁層の間に配置された第３引出し部及び第４引出し部とを更に有することが好ましい。
【００１４】
ここで、第１引出し部の一端は、積層構造体の側面まで引出され第１外部電極と接続され、第１引出し部の他端は、第１−１端部と、第１−１端部と第１引出し部との間の絶縁層に形成された第１接続穴において接続されている。第２引出し部の一端は、積層構造体の側面まで引出され第２外部電極と接続され、第２引出し部の他端は、第２−１端部と、第２−１端部と第２引出し部との間の絶縁層に形成された第２接続穴において接続されている。第３引出し部の一端は、積層構造体の側面まで引出され第３外部電極と接続され、第３引出し部の他端は、第３−１端部と、第３−１端部と第３引出し部との間の絶縁層に形成された第３接続穴において接続されている。第４引出し部の一端は、積層構造体の側面まで引出され第４外部電極と接続され、第４引出し部の他端は、第４−１端部と、第４−１端部と第１引出し部との間の絶縁層に形成された第４接続穴において接続されている。
【００１５】
かかる構成によれば、第１磁性体と第２磁性体とを積層構造体の積層方向の両端に設けているので、上述のコモンモードにおける、第１コイルパターン部及び第２コイルパターン部と、第３コイルパターン部及び第４コイルパターン部とに発生する磁路を更に閉磁路に近づけることができ、上述の効果を更に増加させることができる。
【発明の効果】
【００１６】
本発明のコモンモードチョークコイルによれば、コモンモードにおいてコイルが生じるインピーダンス（インダクタンス）の低下を防止し、外来ノイズによるノイズの発生を防止することができる。
【発明を実施するための最良の形態】
【００１７】
本発明の実施の形態によるコモンモードチョークコイルについて図１及び図４に基づき説明する。図１は、コモンモードチョークコイル１の斜視図、図２はコモンモードチョークコイル１の分解斜視図である。本実施の形態によるコモンモードチョークコイル１は、第１磁性体２と、積層構造体３と、第２磁性体４と、外部電極５〜８を備えている。
【００１８】
第１磁性体２は、板状をなし、焼結フェライト又は複合フェライト（粉状のフェライトを含有した樹脂）等の磁性材料から構成されている。第１磁性体２の一方の主面側には、積層構造体３が配置されている。積層構造体３は、複数の層が薄膜成形技術により積層形成されたものである。積層構造体３は、第１絶縁層１０と、第１引出し電極部２０と、第２絶縁層３０と、第１コイル部４０と、第３絶縁層５０と、第２コイル部６０と、第４絶縁層７０と、第２引出し電極部８０と、第５絶縁層９０とを備えている。
【００１９】
第１絶縁層１０は、第１磁性体２の一方の主面側に配置され、ポリイミド樹脂、エポキシ樹脂等の電気的及び磁気的な絶縁性に優れ、加工性のよい樹脂材料から構成されている。第１絶縁層３は、第１磁性体２の一方の主面上の凹凸を緩和している。
【００２０】
第１引出し電極部２０は、第１絶縁層１０上に形成されている。第１引出し電極部２０は、第１−１引出し端部２１Ａ及び第１−２引出し端部２１Ｂを有する第１引出し部２１と、第２−１引出し端部２２Ａ及び第２−２引出し端部２２Ｂを第２引出し部２２とを有している。第１−１引出し端部２１Ａは、第１絶縁層１０の内方に位置し、第１−２引出し端部２１Ｂは、積層構造体３の側面まで引出されている。第２−１引出し端部２２Ａは、第１絶縁層１０の内方に位置し、第２−２引出し端部２２Ｂは、積層構造体３の第１引出し部２１が引出された側面と反対側の側面まで引出されている。
【００２１】
第２絶縁層３０は、第１引出し電極部２０の反第１絶縁層１０側に配置され、第１絶縁層１０と同様にポリイミド樹脂、エポキシ樹脂等の電気的及び磁気的な絶縁性に優れ、加工性のよい樹脂材料から構成されている。第２絶縁層３０の第１−１引出し端部２１Ａ及び第１−２引出し端部２１Ｂとそれぞれ対向する位置には、第１接続穴３０ａ及び第２接続穴３０ｂが形成されている。
【００２２】
第１コイル部４０は、第２絶縁層３０上に形成されている。第１コイル部４０は、第１−１コイル端部４１Ａと第１−２コイル端部４１Ｂとを有する第１コイルパターン部４１と、第２−１コイル端部４２Ａと第２−２コイル端部４２Ｂとを有する第２コイルパターン部４２とを有している。第１−１コイル端部４１Ａは、第１接続穴３０ａを介して第１−１引出し端部２１Ａと対向し、かつ第１−１引出し端部２１Ａと接続されている。第１−２コイル端部４１Ｂは、第１−１コイル端部４１Ａよりも第２絶縁層３０の内方に位置している。
【００２３】
第２−１コイル端部４２Ａは、第２接続穴３０ｂを介して第２−１引出し端部２２Ａと対向し、かつ第２−１引出し端部２２Ａと接続されている。第２−２コイル端部４２Ｂは、第２−１コイル端部４２Ａよりも第２絶縁層３０の内方に位置し、かつ第１−２コイル端部４１Ｂと接続されている。また、第１−２コイル端部４１Ｂと第２−２コイル端部４２Ｂとは接続されている。第１コイルパターン部４１の第１コイルパターンは、第１−１コイル端部４１Ａと第１−２コイル端部４１Ｂとの間で渦巻状をなしている。第２コイルパターン部４２の第２コイルパターンは、第２−１コイル端部４２Ａと第２−２コイル端部４２Ｂとの間で、第１コイルパターンと同方向に巻かれた渦巻状をなしている。尚、渦巻状とは、外形形状が略円形のみならず、四角形状及び多角形状を含むものとし、曲線及び直線の少なくともいずれか一方で構成されていれば良い。
【００２４】
第１コイルパターンと第２コイルパターンとは、第１−２コイル端部４１Ｂと第２−２コイル端部４２Ｂとの接続位置に対して、点対称の形状をなしている。また、第２絶縁層３０の第１−２引出し端部２１Ｂに相当する部分には、電極部４３が配置されている。第２絶縁層３０の第２−２引出し端部２２Ｂに相当する部分には、電極部４４が配置されている。
【００２５】
第３絶縁層５０は、第１コイル部４０の反第２絶縁層３０側に配置され、第１絶縁層１０と同様にポリイミド樹脂、エポキシ樹脂等の電気的及び磁気的な絶縁性に優れ、加工性のよい樹脂材料から構成されている。
【００２６】
第２コイル部６０は、第２絶縁層３０上に形成され、第１コイル部４０と同形状をなし、第１コイル部４０に対向配置されている。第２コイル部６０は、第１コイルパターン部４１に相当する第３コイルパターン部６１と、第２コイルパターン部４２に相当する第４コイルパターン部６２とを有している。第３コイルパターン部６１は、第１コイルパターン部４１と同様に第３−１コイル端部６１Ａと第３−２コイル端部６１Ｂとを有している。第４コイルパターン部６２は、第２コイルパターン部４２と同様に第４−１コイル端部６２Ａと第４−２コイル端部６２Ｂとを有している。また、第３コイルパターン部６１の第３コイルパターンは、第１コイルパターン部４１の第１コイルパターンと同形状をなし、第４コイルパターン部６２の第４コイルパターンは、第２コイルパターン部４２の第２コイルパターンと同形状をなしている。
【００２７】
第１コイル部４０と第２コイル部６０とは、互いに対向配置されているので、いずれか一方のコイルに電流が流れて磁束が発生すると、その磁束はもう一方のコイルに入る。よって、第１コイル部４０と第２コイル部６０とは、互いに磁気結合可能に配列されている。また、第３絶縁層５０の電極部４３と対向する側端辺であって、電極部４３と重ならない位置には、電極部６３が設けられている。更に、第３絶縁層５０の電極部４４と対向する側端辺であって、電極部４４と重ならない位置には、電極部６４が設けられている。
【００２８】
第４絶縁層７０は、第２コイル部６０の反第３絶縁層５０側に配置され、第１絶縁層１０と同様にポリイミド樹脂、エポキシ樹脂等の電気的及び磁気的な絶縁性に優れ、加工性のよい樹脂材料から構成されている。第３絶縁層５０の第３−２コイル端部６１Ｂ及び第４−２コイル端部６２Ｂと対向する位置には、それぞれ第３接続穴７０ａ及び第４接続穴７０ｂが形成されている。
【００２９】
第２引出し電極部８０は、第３−１引出し端部８１Ａ及び第３−２引出し端部８１Ｂを有する第３引出し部８１と、第４−１引出し端部８２Ａ及び第４−２引出し端部８２Ｂを有する第４引出し部８２とを有している。第３−１引出し端部８１Ａは、第３接続穴７０ａを介して第３−１コイル端部６１Ａと対向する位置に配置され、かつ第３−１コイル端部６１Ａと接続されている。第３−２引出し端部８１Ｂは、積層構造体３の側面まで引出され、かつコイル６３に対向配置されている。
【００３０】
第４−１引出し端部８２Ａは、第４接続穴７０ｂを介して第４−１コイル端部６２Ａと対向する位置に配置され、かつ第４−１コイル端部６２Ａと接続されている。第４−２引出し端部８２Ｂは、積層構造体３の側面まで引出され、かつコイル６４に対向配置されている。
【００３１】
第５絶縁層９０は、第２引出し電極部８０の反第４絶縁層７０側に配置され、ポリイミド樹脂、エポキシ樹脂等の電気的及び磁気的な絶縁性に優れ、加工性のよい樹脂材料から構成されている。第２磁性体４は、第５絶縁層９０の反第２引出し電極部８０側に配置され、板状をなし、焼結フェライト又は複合フェライト（粉状のフェライトを含有した樹脂）等の磁性材料から構成されている。
【００３２】
外部電極５、６は、積層された第１磁性体２、積層構造体３、及び第２磁性体４を構成する三つの外面に跨って形成されている。外部電極５は、第２−２引出し端部２２Ｂ及び電極部４４と接続されている。よって、第２−２引出し端部２２Ｂと電極部４４とは、外部電極５を介して電気的に接続される。外部電極６は第４−２引出し端部８２Ｂ及び電極部６４と接続されている。よって、第４−２引出し端部８２Ｂと電極部６４とは、外部電極６を介して電気的に接続される。残りの外部電極７、８は、外部電極５、６と対向する位置において積層された第１磁性体２、積層構造体３、及び第２磁性体４を構成する三つの外面に跨って形成されている。外部電極７は、第１−２引出し端部２１Ｂ及び電極部４３と接続されている。よって、第１−２引出し端部２１Ｂと電極部４３とは、外部電極７を介して電気的に接続される。外部電極８は、第３−２引出し端部８１Ｂ及び電極部６３と接続されている。よって、第３−２引出し端部８１Ｂと電極部６３とは、外部電極８を介して電気的に接続される。
【００３３】
上記の構成のコモンモードチョークコイル１は、差動伝送方式を用いた信号伝送回路において利用される。例えば、外部電極５、６は入力側に接続され、外部電極７、８は出力側に接続されて用いられる。コモンモードチョークコイル１は、信号に対しては、デイファレンシャルモードとして用いられる。デイファレンシャルモードでは、信号は、第１コイル部４０及び第２コイル部６０に互いに逆方向の信号として入力される。そのため、第１コイル部４０と第２コイル部６０とに生じる磁束は互いに逆方向となる。そして、第１コイルパターン部４１の第１コイルパターンと第３コイルパターン部６１の第３コイルパターンとは、ほぼ同形状であり、互いに対向配置されているので、同程度の強さの磁束が生じ、互いに打ち消しあい、残存する磁束はほとんどなくなる。第２コイルパターン部４２と第４コイルパターン部６２とに生じる磁束についても同様である。従って、第１コイル部４０と第２コイル部６０とが生成する磁界によって生じるインピーダンス（インダクタンス）がほとんどないので、信号は、ほとんど減衰することなく出力される。
【００３４】
一方、図３に示すように、コモンモード信号４５、６５に対しては、コモンモードチョークコイル１は、コモンモードとして用いられる。コモンモードでは、コモンモード信号４５、６５は、第１コイル部４０及び第２コイル部６０に互いに同方向に生じる。このコモンモード信号４５により、第１コイルパターン部４１と第２コイルパターン部４２とには、互いに逆方向の磁束４６、４７が発生する。同様に、第３コイルパターン部６１と第４コイルパターン部６２とにも、コモンモード信号６５により、互いに逆方向の磁束６６、６７が発生する。
【００３５】
このように隣り合う２つのコイルパターンに互いに逆方向の磁束が発生するため、これらの磁束は互いに強めあうように振舞う。よって、ほとんど閉磁路のような磁路を形成することができる。このため、第１コイル部４０及び第２コイル部６０が生み出す磁界によって生じるインピーダンス（インダクタンス）が高くなり、コモンモード信号４５、６５は、ほとんど出力されない。このようにして、コモンモードチョークコイル１は、ノイズのみを減衰させることができる。
【００３６】
また、ほとんど閉磁路にすることができるので、磁束を逃がさないためにコイルパターンの中心にフェライト含有樹脂を通す必要がなくなる。よって、フェライト含有樹脂を通すための孔を絶縁層に形成する必要もなくなり、容易かつ安価にコモンモードチョークコイル１を製造することができる。また、第１磁性体２と第２磁性体４とを積層構造体３の積層方向の両端に設けることによって、より閉磁路に近づけることができ、上述の効果を更に増加させることができる。
【００３７】
また、外来の磁気ノイズ４８が第１コイルパターン部４１及び第２コイルパターン部４２へ入った場合、レンツの法則により、図４に示すように第１コイルパターン部４１には、矢印４９Ａで示した方向に電流が流れる。これに対し、第２コイルパターン部４２には、矢印４９Ｂで示した方向に電流が流れる。ここで、第１コイルパターン部４１と第２コイルパターン部４２とは、互いに点対称の形状をなしているため、同程度の電流が流れ、これらは互いに打ち消しあい、残存する電流はほとんどなくなる。よって、信号伝送回路にノイズが発生するのを防止することができる。
【００３８】
尚、本発明のコモンモードチョークコイル１は、上述した実施の形態に限定されず、特許請求の範囲に記載した範囲で種々の変形や改良が可能である。例えば、第１コイル部４０の形状又は第２コイル部６０の形状は、上記の実施の形態のものに限られず、図５に示したような形状の第１コイル部１４０又は第２コイル部１６０であっても良い。また、第１コイル部４０の形状又は第２コイル部６０の形状は、点対称形状に限られず、図６に示したような非点対称形状の第１コイル部２４０又は第２コイル部２６０であっても良い。
【００３９】
また、第１コイルパターン部４１と第３コイルパターン部６１とは、対向配置されていたが、磁気結合されていれば、対向していなくて良い。第２コイルパターン部４２と第４コイルパターン部６２とも、同様に対向していなくても良い。
【図面の簡単な説明】
【００４０】
【図１】本発明の実施の形態におけるコモンモードチョークコイルの斜視図。
【図２】本発明の実施の形態におけるコモンモードチョークコイルの分解斜視図。
【図３】本発明の実施の形態におけるコモンモードチョークコイルのコモンモードにおける磁束の流れを示す説明図。
【図４】本発明の実施の形態におけるコモンモードチョークコイルの外来の磁気ノイズに対する電流又は電圧の流れを示す説明図。
【図５】本発明の実施の形態におけるコモンモードチョークコイルの第１コイル部の形状又は第２コイル部の形状の変形例を示す概略図。
【図６】本発明の実施の形態におけるコモンモードチョークコイルの第１コイル部の形状又は第２コイル部の形状の他の変形例を示す概略図。
【符号の説明】
【００４１】
１    コモンモードチョークコイル
２    第１磁性体
３    積層構造体
４    第２磁性体
５、６、７、８  外部電極
１０    第１絶縁層
２０    第１引出し電極部
３０    第２絶縁層
４０、１４０、２４０    第１コイル部
４１    第１コイルパターン部
４１Ａ  第１−１コイル端部
４１Ｂ  第１−２コイル端部
４２    第２コイルパターン部
４２Ａ  第２−１コイル端部
４２Ｂ  第２−２コイル端部
５０    第３絶縁層
６０、１６０、２６０    第２コイル部
６１    第３コイルパターン部
６１Ａ  第３−１コイル端部
６１Ｂ  第３−２コイル端部
６２    第４コイルパターン部
６２Ａ  第４−１コイル端部
６２Ｂ  第４−２コイル端部
７０    第４絶縁層
８０    第２引出し電極部
９０    第５絶縁層
【図１】
2006286884.tif 000003
【図２】
2006286884.tif 000004
【図３】
2006286884.tif 000005
【図４】
2006286884.tif 000006
【図５】
2006286884.tif 000007
【図６】
2006286884.tif 000008